(57)【要約】【課題】複数本のファイバ芯線を光導波路のコアの配置に合わせて整列させて保持できるようにする。【解決手段】光通信モジュール１Ａは、光ファイバ３の複数本のファイバ芯線８ａ〜８ｃが、ファイバピッチ規定保持具４Ａで保持されて、光導波路２に結合される。ファイバピッチ規定保持具４Ａは、ファイバ芯線８ａ〜８ｃが挿入される挿入穴１１ａ〜１１ｃが、光導波路２のコア５ａ〜５ｃのピッチに合わせて形成され、ファイバ芯線８ａ〜８ｃを、所定の挿入穴１１ａ〜１１ｃに挿入すると、各ファイバ芯線８ａ〜８ｃは、光導波路２のコア５ａ〜５ｃのピッチに合わせて整列保持される。【選択図】        図１
2006220830.tif 000002
【特許請求の範囲】
【請求項１】
多芯の光ファイバの各ファイバ芯線を、光導波路の複数本のコアの配置に合わせて整列させるファイバピッチ規定保持具において、
前記光ファイバの各ファイバ芯線が挿入される複数の挿入穴が、前記光導波路の前記コアのピッチに合わせて形成されたソケット部を備えた
ことを特徴とするファイバピッチ規定保持具。
【請求項２】
前記ソケット部は、前記各挿入穴の手前で前記各ファイバ芯線が挿入される導入部を、前記各挿入穴と連通させて備えた
ことを特徴とする請求項１記載のファイバピッチ規定保持具。
【請求項３】
前記ソケット部は、前記光ファイバの保護部材が固定される固定部を備えた
ことを特徴とする請求項１記載のファイバピッチ規定保持具。
【請求項４】
複数本のコアを有する平面型の光導波路と、
前記光導波路の各コアと結合させた複数本のファイバ芯線を有する多芯の光ファイバとを備えた光通信モジュールにおいて、
前記光ファイバの各ファイバ芯線が挿入される複数の挿入穴が、前記光導波路の前記コアのピッチに合わせて形成されたソケット部を有するファイバピッチ規定保持具を備えた
ことを特徴とする光通信モジュール。
【請求項５】
前記ファイバピッチ規定保持具は、前記各挿入穴の手前で前記各ファイバ芯線が挿入される導入部を、前記各挿入穴と連通させて前記ソケット部に備えた
ことを特徴とする請求項４記載の光通信モジュール。
【請求項６】
前記ファイバピッチ規定保持具は、前記光ファイバの保護部材が固定される固定部を前記ソケット部に備えた
ことを特徴とする請求項４記載の光通信モジュール。
【請求項７】
光導波路の複数本のコアのピッチに合わせて形成された複数の挿入穴を備えたファイバピッチ規定保持具の前記各挿入穴に、多芯の光ファイバの各ファイバ芯線を予め定められた並びで挿入して、前記各ファイバ芯線を前記光導波路のコアの配置に合わせて整列保持する
ことを特徴とする光ファイバ実装方法。
【請求項８】
前記光ファイバの各ファイバ芯線を、前記ファイバピッチ規定保持具の各挿入穴に挿入して整列保持した後、前記各ファイバ芯線の先端位置を揃える
ことを特徴とする請求項７記載の光ファイバ実装方法。
【発明の詳細な説明】
【技術分野】
【０００１】
本発明は、多芯の光ファイバの各ファイバ芯線を、光導波路の複数本のコアの配置に合わせて整列させるファイバピッチ規定保持具、このファイバピッチ規定保持具を備えた光通信モジュール及び光ファイバ実装方法に関する。詳しくは、ファイバ芯線が挿入される挿入穴を、光導波路のコアのピッチに合わせて形成したソケット部を備えることで、結合対象の光導波路のコアのピッチに合わせて、ファイバ芯線を整列させて保持できるようにしたものである。
【背景技術】
【０００２】
従来より、平面型の光導波路と複数本の光ファイバを光学的に結合させた光モジュールが提案されている（例えば、特許文献１参照）。
【０００３】
光ファイバを光導波路と接続する際には、一般的に、Ｖ字型の溝が形成されたガイドブロックで光ファイバを支持する構成となっているものが多い。そして、光ファイバは接着剤によりガイドブロックに固定されている。
【０００４】
さて、複数本の光ファイバが接続される光モジュールでは、以下に示すような形態の多芯の光ファイバの使用が想定される。
【０００５】
図７は光ファイバの構成の一例を示す断面図である。光ファイバ３１は、複数本のファイバ芯線３２がまとめられ、図示しない保護部材や外皮３３ａ等で被覆されて１本のファイバケーブル３３が形成される。
【０００６】
このような多芯の光ファイバ３１を光導波路に結合する場合は、先端側の外皮３３ａを剥いて各ファイバ芯線３２を露出させ、図示しないガイドブロックのＶ溝にファイバ芯線３２を嵌めて光導波路と結合させ、接着によりファイバ芯線３２を固定する。
【０００７】
【特許文献１】実開平５−０７３６０６号公報
【発明の開示】
【発明が解決しようとする課題】
【０００８】
複数本の光ファイバを光導波路に結合する構成では、通信相手の対向機器との関係で、各ファイバ芯線は光導波路に対する配置が予め決まっているが、ファイバ芯線がばらばらの状態では、結合時の作業効率が非常に悪いという問題がある。
【０００９】
また、複数本の光ファイバを光導波路に結合する構成では、各ファイバ芯線の先端位置を揃える必要がある場合がある。しかし、図７に示すような多芯の光ファイバ３１では、外皮３３ａを剥いて各ファイバ芯線３２を露出させた状態で作業を行う必要があり、作業効率が悪いという問題がある。
【００１０】
なお、Ｖ溝を有するガイドブロックを利用した実装方法では、光導波路との結合の前の工程でファイバ芯線をガイドブロックに固定してしまうと、光導波路との調芯が行えない。このため、ファイバ芯線のガイドブロックへの固定は光導波路との結合の後の工程で行う必要があり、複数本の光ファイバを光導波路と結合する場合、１本ずつファイバ芯線を結合する作業が必要となり、作業効率が悪いという問題がある。
【００１１】
本発明は、このような課題を解決するためになされたもので、複数本のファイバ芯線を光導波路のコアの配置に合わせて整列させて保持できるようにしたファイバピッチ規定保持具、光通信モジュール及び光ファイバ実装方法を提供することを目的とする。
【課題を解決するための手段】
【００１２】
上述した課題を解決するため、本発明に係るファイバピッチ規定保持具は、多芯の光ファイバの各ファイバ芯線を、光導波路の複数本のコアの配置に合わせて整列させるファイバピッチ規定保持具において、光ファイバの各ファイバ芯線が挿入される複数の挿入穴が、光導波路のコアのピッチに合わせて形成されたソケット部を備えたものである。
【００１３】
本発明のファイバピッチ規定保持具では、多芯の光ファイバの各ファイバ芯線が挿入穴に挿入されて、ソケット部に保持される。ソケット部は、光導波路の複数本のコアのピッチに合わせて挿入穴が形成されており、結合対象のコアのピッチに合わせて複数本のファイバ芯線が整列して保持される。
【００１４】
また、上述した課題を解決するため、本発明に係る光通信モジュールは、複数本のコアを有する平面型の光導波路と、光導波路の各コアと結合させた複数本のファイバ芯線を有する多芯の光ファイバとを備えた光通信モジュールにおいて、光ファイバの各ファイバ芯線が挿入される複数の挿入穴が、光導波路のコアのピッチに合わせて形成されたソケット部を有するファイバピッチ規定保持具を備えたものである。
【００１５】
本発明の光通信モジュールでは、多芯の光ファイバの各ファイバ芯線を、ファイバピッチ規定保持具のソケット部に形成された挿入穴に挿入して、ソケット部に保持する。ソケット部は、光導波路の複数本のコアのピッチに合わせて挿入穴が形成されており、結合対象のコアのピッチに合わせて複数本のファイバ芯線が整列して保持される。また、ファイバ芯線の並ぶ順番も規定される。ファイバピッチ規定保持具で整列保持された光ファイバのファイバ芯線は、ピッチ及び順番を保持して光導波路に結合する。
【００１６】
更に、上述した課題を解決するため、本発明に係る光ファイバ実装方法は、光導波路の複数本のコアのピッチに合わせて形成された複数の挿入穴を備えたファイバピッチ規定保持具の各挿入穴に、多芯の光ファイバの各ファイバ芯線を予め定められた並びで挿入して、各ファイバ芯線を光導波路のコアの配置に合わせて整列保持するものである。
【００１７】
本発明の光ファイバ実装方法では、多芯の光ファイバの各ファイバ芯線が、ファイバピッチ規定保持具のソケット部に形成された挿入穴に挿入されて、ソケット部に保持される。ソケット部は、光導波路の複数本のコアのピッチに合わせて挿入穴が形成されており、結合対象のコアのピッチに合わせて複数本のファイバ芯線が整列して保持される。また、ファイバ芯線の並ぶ順番も規定される。ファイバピッチ規定保持具で整列保持された光ファイバのファイバ芯線は、ピッチ及び順番を保持して光導波路に結合される。
【発明の効果】
【００１８】
本発明のファイバピッチ規定保持具によれば、光ファイバの結合対象となる光導波路のコアのピッチに合わせて、複数本のファイバ芯線を整列させて保持することができる。これにより、複数本のファイバ芯線の先端位置を揃える作業等の作業性を向上させることができる。
【００１９】
本発明の光通信モジュールによれば、上述したファイバピッチ規定保持具を備えることで、光導波路のコアのピッチに合わせて、複数本のファイバ芯線を整列させて保持することができる。これにより、複数本のファイバ芯線を光導波路に結合する際の作業性を向上させることができる。
【００２０】
例えば、ファイバピッチ規定保持具に、光ファイバの保護部材を固定する固定部を備えれば、引っ張り強度を向上させることもできる。
【００２１】
本発明の光ファイバ実装方法によれば、光導波路のコアのピッチに合わせて、複数本のファイバ芯線を整列させて保持し、光導波路に結合することができる。これにより、光導波路への結合の前に、複数本のファイバ芯線を所定の配置としておくことができるので、複数本のファイバ芯線を光導波路に結合する際の作業性を向上させ、作業ミスを防ぐことができる。
【００２２】
例えば、ファイバピッチ規定保持具に、光ファイバの保護部材を固定する固定部を備えれば、引っ張り強度の向上を目的として光ファイバの保護部材を固定するための工程を、ファイバ芯線の整列保持の工程で行うことができ、作業工程を減らしてコスト削減に繋げることができる。
【発明を実施するための最良の形態】
【００２３】
以下、図面を参照して本発明のファイバピッチ規定保持具、光通信モジュール及び光ファイバ実装方法の実施の形態について説明する。
【００２４】
＜ファイバピッチ規定保持具及び光通信モジュールの構成例＞
図１は第１の実施の形態の光通信モジュールの構成の一例を示し、図１（ａ）は平面断面図、図１（ｂ）は側断面図である。第１の実施の形態の光通信モジュール１Ａは、光導波路２と、光導波路２と光学的に結合される光ファイバ３と、光ファイバ３を整列保持するファイバピッチ規定保持具４Ａを備える。
【００２５】
光導波路２は、例えば高分子材料で構成され、直線状に延びる複数本のコア５と、コア５を覆うクラッド層６を備えて、コア・クラッド構造を有する。光導波路２は、本例では３本のコア５ａ，５ｂ，５ｃが所定のピッチで平行に配置され、例えば、コア５ｂを中心にしてその両側に等間隔でコア５ａとコア５ｃが配置される。
【００２６】
各コア５ａ〜５ｃは、屈折率がクラッド層６より若干大きくなるように構成されて、コア５ａに結合された光は、コア５ａに閉じ込められて伝搬される。同様に、コア５ｂに結合された光は、コア５ｂに閉じ込められて伝搬され、コア５ｃに結合された光は、コア５ｃに閉じ込められて伝搬される。
【００２７】
光導波路２は、各コア５ａ〜５ｃの延びる方向に沿った一方の端部に垂直端面７が形成される。垂直端面７は、直線状に延びる各コア５ａ〜５ｃに対して垂直な面で、垂直端面７には、各コア５ａ〜５ｃの端面が露出して入出射面が形成される。
【００２８】
光ファイバ３は、複数本のファイバ芯線８がまとめられて外皮９ａ等で被覆されてファイバケーブル９が形成される。光ファイバ３は、本例では３本のファイバ芯線８ａ，８ｂ，８ｃを備え、先端側の外皮９ａが剥かれて各ファイバ芯線８ａ〜８ｃが露出し、ファイバ芯線８ａが光導波路２のコア５ａに光学的に結合され、ファイバ芯線８ｂがコア５ｂに光学的に結合され、ファイバ芯線８ｃがコア５ｃに光学的に結合される。
【００２９】
ファイバピッチ規定保持具４Ａは、ソケット部１０と、光ファイバ３の各ファイバ芯線８ａ〜８ｃが独立して挿入される複数の挿入穴１１と、各挿入穴１１の手前で各ファイバ芯線８ａ〜８ｃが一括して挿入される導入部１２とを備える。ファイバピッチ規定保持具４Ａは、光ファイバ３のファイバ芯線８ａ〜８ｃの本数に合わせて、本例では３本の挿入穴１１ａ，１１ｂ，１１ｃを備える。
【００３０】
図２及び図３は第１の実施の形態のファイバピッチ規定保持具の構成の一例を示し、図２（ａ）はファイバピッチ規定保持具４Ａの平面図、図２（ｂ）はファイバピッチ規定保持具４Ａの側面図、図２（ｃ）はファイバピッチ規定保持具４Ａの正面図である。また、図３（ａ）はファイバピッチ規定保持具４Ａの平面断面図、図３（ｂ）はファイバピッチ規定保持具４Ａの側断面図、図３（ｃ）は図２（ｂ）のＡ−Ａ断面図、図３（ｄ）は図２（ｂ）のＢ−Ｂ断面図である。
【００３１】
ファイバピッチ規定保持具４Ａは、ソケット部１０が樹脂のモールド一体成形で作製され、ソケット部１０の一方の端部に挿入穴１１ａ〜１１ｃが貫通し、他方の端部に導入部１２が貫通して、各挿入穴１１ａ〜１１ｃと導入部１２がソケット部１０の内部で連通している。
【００３２】
挿入穴１１ａ〜１１ｃは互いが平行で、図１に示すように、光導波路２の３本のコア５ａ〜５ｃのピッチに合わせた間隔で配置される。本例では、挿入穴１１ｂを中心にしてその両側にコア５ａ〜５ｃのピッチに合わせた等間隔で挿入穴１１ａと挿入穴１１ｃが配置される。また、挿入穴１１ａ〜１１ｃは、図１で説明した光ファイバ３のファイバ芯線８ａ〜８ｃの直径より若干大きな直径を有する。
【００３３】
これにより、ファイバピッチ規定保持具４Ａの挿入穴１１ａにファイバ芯線８ａを挿入し、挿入穴１１ｂにファイバ芯線８ｂを挿入し、挿入穴１１ｃにファイバ芯線８ｃを挿入すると、各ファイバ芯線８ａ〜８ｃの外周面と、各挿入穴１１ａ〜１１ｃの内周面との間にそれぞれ若干の隙間が形成される。
【００３４】
また、ファイバ芯線８ａ〜８ｃのピッチは、光導波路２のコア５ａ〜５ｃのピッチと略同等に規定される。
【００３５】
ここで、ファイバピッチ規定保持具４Ａの挿入穴１１ａ〜１１ｃで規定されるファイバ芯線８ａ〜８ｃのピッチは、ファイバケーブル９でまとめられている部分でのピッチより広い。
【００３６】
このため、外皮９ａが剥かれてファイバケーブル９から露出したファイバ芯線８ａ〜８ｃは、互いの間隔が徐々に広がるように変形させて、挿入穴１１ａ〜１１ｃに挿入される。
【００３７】
導入部１２は、挿入穴１１ａ〜１１ｃに対するファイバ芯線８ａ〜８ｃの挿入方向に対して、挿入穴１１ａ〜１１ｃの手前に形成される単一の空間で、ファイバ芯線８ａ〜８ｃの間隔が徐々に広げられる部分が挿入される幅を有する。
【００３８】
上述したように、ファイバピッチ規定保持具４Ａの挿入穴１１ａ〜１１ｃで規定されるファイバ芯線８ａ〜８ｃのピッチがファイバケーブル９でまとめられている部分でのピッチより広い場合、ファイバ芯線８ａ〜８ｃを湾曲させてピッチを広げる必要がある。
【００３９】
このため、ファイバケーブル９からのファイバ芯線８ａ〜８ｃの露出量を長くする必要がある。そこで、ソケット部１０においては挿入穴１１ａ〜１１ｃの手前に導入部１２を備えることで、外皮９ａが剥かれて露出しているファイバ芯線８ａ〜８ｃを保護することができる。
【００４０】
なお、ファイバピッチ規定保持具４Ａの挿入穴１１ａ〜１１ｃと導入部１２の間には、それぞれテーパ状のガイド部１２ａが形成され、挿入部１２の奥方に位置する挿入穴１１ａ〜１１ｃへのファイバ芯線８ａ〜８ｃの挿入が容易になるように構成されている。
【００４１】
ファイバピッチ規定保持具４Ａは、光導波路２を支持する実装基板１３が実装された回路基板１４に実装される。実装基板１３は例えばシリコン（Ｓｉ）基板で、表面に光導波路２が実装される。また、実装基板１３は、光導波路２の垂直端面７側の表面にＶ溝１５が形成される。
【００４２】
実装基板１３は、光ファイバ３のファイバ芯線８ａ〜８ｃの本数に合わせて本例では３本のＶ溝１５ａ，１５ｂ，１５ｃを備える。各Ｖ溝１５ａ〜１５ｃは、実装基板１３の端部から、実装基板１３に実装された光導波路２の垂直端面７に到達する位置まで直線状に形成される。
【００４３】
Ｖ溝１５ａ〜１５ｃは互いが平行で、光導波路２の３本のコア５ａ〜５ｃのピッチに合わせた間隔で配置される。本例では、Ｖ溝１５ｂを中心にしてその両側にコア５ａ〜５ｃのピッチに合わせた等間隔でＶ溝１５ａとＶ溝１５ｃが配置される。
【００４４】
ファイバ芯線８ａ〜８ｃを整列保持したファイバピッチ規定保持具４Ａを回路基板１４の所定の位置に実装すると、ファイバ芯線８ａがＶ溝１５ａに嵌まり、ファイバ芯線８ｂがＶ溝１５ｂに嵌まり、ファイバ芯線８ｃがＶ溝１５ｃに嵌まる。
【００４５】
光ファイバ３のファイバ芯線８ａ〜８ｃは、Ｖ溝１５ａ〜１５ｃに嵌められることで、光導波路２に対する位置合わせが行われ、接着により光導波路２及び実装基板１３に固定される。
【００４６】
ここで、Ｖ溝１５ａ〜１５ｃに光ファイバ３のファイバ芯線８ａ〜８ｃを嵌めると、ファイバ芯線８ａのコアが光導波路２のコア５ａと光学的に結合し、ファイバ芯線８ｂのコアが光導波路２のコア５ｂと光学的に結合し、ファイバ芯線８ｃのコアが光導波路２のコア５ｃと光学的に結合するように、Ｖ溝１５ａ〜１５ｃの形状等が設定されている。
【００４７】
回路基板１４は、光通信モジュール１Ａのパッケージ１６に実装される。また、パッケージ１６には、光ファイバ３のファイバケーブル９を保持するケーブルガイド１６ａを備える。
【００４８】
なお、光通信モジュール１Ａは、例えば図示しない発光素子及び受光素子を備え、発光素子及び受光素子が、光ファイバ３と結合している側と反対側で光導波路２の所定のコアと光学的に結合している。
【００４９】
＜第１の実施の形態の光ファイバの実装方法＞
次に、上述した構成の光通信モジュール１Ａにおけるファイバピッチ規定保持具４Ａを利用した光ファイバ３の実装方法について説明する。
【００５０】
まず、光ファイバ３の外皮９ａを所定の長さ剥いて、ファイバ芯線８ａ〜８ｃを露出させる。各ファイバ芯線８ａ〜８ｃは、クラッドが剥き出しになるように加工する。
【００５１】
次に、各ファイバ芯線８ａ〜８ｃを、ファイバピッチ規定保持具４Ａの所定の挿入穴１１ａ〜１１ｃに挿入する。図４はファイバ芯線８ａ〜８ｃをファイバピッチ規定保持具４Ａに挿入した状態を示す構成図である。多芯の光ファイバ３を利用した光通信モジュール１Ａでは、通信相手の対向機器との関係で、ファイバ芯線８ａ〜８ｃを光導波路２のどのコア５と接続するか、予め決められている。
【００５２】
このため、ファイバピッチ規定保持具４Ａのどの挿入穴１１にどのファイバ芯線８を挿入するかが予め決められる。本例では、ファイバピッチ規定保持具４Ａの挿入穴１１ａにファイバ芯線８ａを挿入し、挿入穴１１ｂにファイバ芯線８ｂを挿入し、挿入穴１１ｃにファイバ芯線８ｃを挿入する。
【００５３】
挿入穴１１ａ〜１１ｃは、図１に示すように、光導波路２のコア５ａ〜５ｃのピッチに合わせて配置されるので、挿入穴１１ａ〜１１ｃに挿入されたファイバ芯線８ａ〜８ｃのピッチは、光導波路２のコア５ａ〜５ｃのピッチと略同等に規定されて整列保持される。
【００５４】
また、ファイバ芯線８ａ〜８ｃが所定の並びで挿入穴１１ａ〜１１ｃに挿入されることで、ファイバ芯線８ａ〜８ｃを光導波路２に結合する前の工程で、ファイバ芯線８ａ〜８ｃの光導波路２のコア５ａ〜５ｃに対する並びの順番が規定される。
【００５５】
そして、ファイバ芯線８ａ〜８ｃをソケット部１０の挿入穴１１ａ〜１１ｃに挿入して保持することで、ファイバ芯線８ａ〜８ｃはファイバピッチ規定保持具４Ａから容易に外れることはない。
【００５６】
さて、ファイバピッチ規定保持具４Ａの挿入穴１１ａ〜１１ｃで規定されるファイバ芯線８ａ〜８ｃのピッチは、ファイバケーブル９でまとめられている部分でのピッチより広い。
【００５７】
このため、ファイバケーブル９から露出したファイバ芯線８ａ〜８ｃは、互いの間隔が徐々に広がるように変形させて、挿入穴１１ａ〜１１ｃに挿入される。
【００５８】
このとき、ファイバピッチ規定保持具４Ａの中央の挿入穴１１ｂに挿入されるファイバ芯線８ｂに対して、左右の挿入穴１１ａ，１１ｃに挿入されるファイバ芯線８ａ，８ｃは、湾曲させた部分が存在するので、図４（ａ）に示すように、中央のファイバ芯線８ｂに対して先端位置が後退する。
【００５９】
結合対象の光導波路２の構成等により、ファイバ芯線８ａ〜８ｃの先端を揃える必要がある場合は、各ファイバ芯線８ａ〜８ｃがファイバピッチ規定保持具４Ａの挿入穴１１ａ〜１１ｃに挿入されて整列保持されているので、複数本のファイバ芯線を切断位置Ｃで一度にカットすることができる。これにより、容易に作業を行うことができ、図４（ｂ）に示すように、各ファイバ芯線８ａ〜８ｃの先端位置Ｐを揃えることができる。
【００６０】
以上のように、ファイバピッチ規定保持具４Ａで整列保持されたファイバ芯線８ａ〜８ｃは、図１に示すように、光導波路２を実装した実装基板１３に実装される。
【００６１】
実装基板１３には、光導波路２のコア５ａ〜５ｃのピッチに合わせてＶ溝１５ａ〜１５ｃが形成されており、ファイバ芯線８ａ〜８ｃを保持したファイバピッチ規定保持具４Ａを回路基板１４の所定の位置に実装すると、ファイバ芯線８ａがＶ溝１５ａに嵌まり、ファイバ芯線８ｂがＶ溝１５ｂに嵌まり、ファイバ芯線８ｃがＶ溝１５ｃに嵌まる。
【００６２】
このように、ファイバ芯線８ａ〜８ｃをファイバピッチ規定保持具４Ａで整列保持することで、複数本のファイバ芯線８ａ〜８ｃを光導波路２に結合させる際に、一度に位置合わせを行うことができるので、調芯が容易となる。
【００６３】
また、ファイバ芯線８ａ〜８ｃの並ぶ順番も結合工程の前に規定されているので、ファイバ芯線８ａ〜８ｃと光導波路２の各コア５ａ〜５ｃの対応付けも間違えることなく、実装ミスを防ぐことができる。
【００６４】
さて、ファイバ芯線８ａ〜８ｃを光導波路２に結合する前に、ファイバ芯線８ａ〜８ｃをファイバピッチ規定保持具４Ａに固定した状態としてしまうと、ソケット１０の製造誤差があった場合等に応力が掛かってしまい、ファイバ芯線８ａ〜８ｃが破損する可能性がある。
【００６５】
このため、ファイバピッチ規定保持具４Ａの挿入穴１１ａ〜１１ｃにファイバ芯線８ａ〜８ｃを挿入すると、各ファイバ芯線８ａ〜８ｃの外周面と、各挿入穴１１ａ〜１１ｃの内周面との間にそれぞれ若干の隙間が形成されるようにして、光導波路２との結合時に自由度を持たせてある。
【００６６】
そして、各ファイバ芯線８ａ〜８ｃと光導波路２の光学的な結合を行った後、各ファイバ芯線８ａ〜８ｃと光導波路２及び実装基板１３との接着に合わせて、光硬化型の接着剤等でファイバピッチ規定保持具４Ａとファイバ芯線８ａ〜８ｃを接着固定する。
【００６７】
＜第２の実施の形態のファイバピッチ規定保持具の構成例＞
図５は第２の実施の形態のファイバピッチ規定保持具の構成の一例を示し、図５（ａ）は平面図、図５（ｂ）は側断面図、図５（ｃ）は正面図、図５（ｄ）は背面図である。以下の説明で、第１の実施の形態のファイバピッチ規定保持具４Ａと同じ構成については同じ番号を付して説明する。
【００６８】
第２の実施の形態のファイバピッチ規定保持具４Ｂは、ソケット部１０と固定部１７を備える。ファイバピッチ規定保持具４Ｂは、ソケット部１０と固定部１７が例えば樹脂のモールド一体成形で作製され、ソケット部１０は、上述したように複数の挿入穴１１ａ〜１１ｃと、各挿入穴１１ａ〜１１ｃと連通した導入部１２を備える。なお、導入部１２は、ソケット部１０と固定部１７を一体で成形するために、ソケット部１０の上面が開口した形状となっている。
【００６９】
固定部１７は、両端にフランジ部１７ａを備えると共に、フランジ部１７ａの間を凹状にしてカシメ部１７ｂを備える。また、固定部１７は、内部にソケット部１０の導入部１２と連通した貫通穴１８を備える。
【００７０】
図６は第２の実施の形態の光通信モジュールの構成の一例を示し、図６（ａ）は平面断面図、図６（ｂ）は側断面図である。以下の説明で、第１の実施の形態の光通信モジュール１Ａと同じ構成については同じ番号を付して説明する。
【００７１】
第２の実施の形態の光通信モジュール１Ｂは、図５に示す第２の実施の形態のファイバピッチ規定保持具４Ｂを備える。光ファイバ３は、先端側の外皮９ａが剥かれて各ファイバ芯線８ａ〜８ｃが露出し、ファイバ芯線８ａ〜８ｃがファイバピッチ規定保持具４Ｂの所定の挿入穴１１ａ〜１１ｃに挿入されて整列保持される。
【００７２】
そして、本例では、ファイバピッチ規定保持具４Ｂで整列保持されたファイバ芯線８ａが光導波路２のコア５ａに光学的に結合され、ファイバ芯線８ｂがコア５ｂに光学的に結合され、ファイバ芯線８ｃがコア５ｃに光学的に結合される。
【００７３】
また、光ファイバ３は、ファイバ芯線８ａ〜８ｃを保護しているケプラー等の保護部材１９を残して外皮９ａが剥かれ、保護部材１９がファイバピッチ規定保持具４Ｂにカシメにより固定される。
【００７４】
すなわち、ファイバピッチ規定保持具４Ｂは、固定部１７に保護部材１９が被せられ、カシメリング２０が保護部材１９の上から固定部１７のカシメ部１７ｂに嵌められて、カシメリング２０がつぶされてかしめられることで、光ファイバ３は、保護部材１９がファイバピッチ規定保持具４Ｂの固定部１７に固定される。
【００７５】
これにより、光ファイバ３に対する引っ張り荷重を保護部材１９で受けることで、引っ張り強度を向上させることができる。また、保護部材１９を固定する固定部１７をファイバピッチ規定保持具４Ｂに一体に備えることで、保護部材１９をカシメ固定する部材を別に設ける必要が無く、部品点数を削減することができる。
【００７６】
＜第２の実施の形態の光ファイバ実装方法＞
次に、上述した構成の光通信モジュール１Ｂにおけるファイバピッチ規定保持具４Ｂを利用した光ファイバ３の実装方法について説明する。
【００７７】
まず、光ファイバ３の外皮９ａを所定の長さ剥いて、ファイバ芯線８ａ〜８ｃ及び保護部材１９を露出させる。各ファイバ芯線８ａ〜８ｃは、クラッドが剥き出しになるように加工する。
【００７８】
次に、各ファイバ芯線８ａ〜８ｃを、ファイバピッチ規定保持具４Ｂの固定部１７の貫通穴１８側から所定の挿入穴１１ａ〜１１ｃに挿入する。本例では、ファイバピッチ規定保持具４Ｂの挿入穴１１ａにファイバ芯線８ａを挿入し、挿入穴１１ｂにファイバ芯線８ｂを挿入し、挿入穴１１ｃにファイバ芯線８ｃを挿入する。
【００７９】
また、保護部材１９を固定部１７に被せ、カシメリング２０を保護部材１９の上から固定部１７のカシメ部１７ｂに嵌めて、カシメリング２０をつぶしてかしめる。
【００８０】
挿入穴１１ａ〜１１ｃは、図６に示すように、光導波路２のコア５ａ〜５ｃのピッチに合わせて配置されるので、挿入穴１１ａ〜１１ｃに挿入されたファイバ芯線８ａ〜８ｃのピッチは、光導波路２のコア５ａ〜５ｃのピッチと略同等に規定されて整列保持される。
【００８１】
また、ファイバ芯線８ａ〜８ｃが所定の並びで挿入穴１１ａ〜１１ｃに挿入されることで、ファイバ芯線８ａ〜８ｃの光導波路２のコア５ａ〜５ｃに対する並びの順番が規定される。
【００８２】
ファイバピッチ規定保持具４Ｂで整列保持されたファイバ芯線８ａ〜８ｃは、必要に応じて先端位置を揃え、実装基板１３の所定のＶ溝１５ａ〜１５ｃに嵌めて、接着固定する。また、ファイバピッチ規定保持具４Ｂは、ソケット部を１０回路基板１４に接着固定する。更に、ファイバ芯線８ａ〜８ｃはファイバピッチ規定保持具４Ｂのソケット部１０に接着固定する。
【００８３】
なお、ファイバピッチ規定保持具４Ｂでは、導入部１２の上面が開口しているので、導入部１２に接着剤を充填してファイバ芯線８ａ〜８ｃを接着固定しても良い。
【００８４】
光通信モジュール１Ｂでは、光ファイバ３は、保護部材１９がファイバピッチ規定保持具４Ｂの固定部１７に固定される。これにより、光ファイバ３に対する引っ張り荷重を保護部材１９で受けることで、引っ張り強度を向上させることができる。
【００８５】
また、保護部材１９を固定する固定部１７をファイバピッチ規定保持具４Ｂに一体に備えることで、保護部材１９をカシメ固定する部材を別に設ける必要が無く、部品点数を削減することができる。また、ファイバ芯線８ａ〜８ｃをファイバピッチ規定保持具４Ｂに取り付ける工程で、保護部材１９のカシメ固定を行えるので、作業工程を削減することができる。これにより、コスト削減を図ることができる。
【産業上の利用可能性】
【００８６】
本発明は、電子機器のボード間やチップ間の光通信モジュールや、光ファイバを利用した通信ケーブルのコネクタ等に適用される。
【図面の簡単な説明】
【００８７】
【図１】第１の実施の形態の光通信モジュールの一例を示す構成図である。
【図２】ファイバピッチ規定保持具の一例を示す構成図である。
【図３】ファイバピッチ規定保持具の一例を示す断面図である。
【図４】ファイバ芯線をファイバピッチ規定保持具に挿入した状態を示す構成図である。
【図５】第２の実施の形態のファイバピッチ規定保持具の一例を示す構成図である。
【図６】第２の実施の形態の光通信モジュールの一例を示す構成図である。
【図７】光ファイバの構成の一例を示す断面図である。
【符号の説明】
【００８８】
１・・・光通信モジュール、２・・・光導波路、３・・・光ファイバ、４・・・ファイバピッチ規定保持具、５・・・コア、５ａ・・・入出射面、６・・・クラッド層、７・・・垂直端面、８・・・ファイバ芯線、９・・・ファイバケーブル、９ａ・・・外皮、１０・・・ソケット部、１１・・・挿入穴、１２・・・導入部、１２ａ・・・ガイド部、１３・・・実装基板、１４・・・回路基板、１５・・・Ｖ溝、１６・・・パッケージ、１６ａ・・・ケーブルガイド、１７・・・固定部、１７ａ・・・フランジ部、１７ｂ・・・カシメ部、１８・・・貫通穴、１９・・・保護部材、２０・・・カシメリング
【図１】
2006220830.tif 000003
【図２】
2006220830.tif 000004
【図３】
2006220830.tif 000005
【図４】
2006220830.tif 000006
【図５】
2006220830.tif 000007
【図６】
2006220830.tif 000008
【図７】
2006220830.tif 000009